(57)【要約】【課題】木質の柱部材と梁部材とを接合した柱梁接合構造において、接合部の剛性および耐力を向上することができる柱梁接合構造を提供する。【解決手段】木質の柱部材１２に水平に挿通配置した引きボルト１４を介してこの柱部材１２の側面に固定される平面視でＴ字状断面の梁部材接続用の金物１６を有する木質の柱部材１２と梁部材１８の接合構造において、金物１６を貫通して柱部材１２にねじ込み固定した引き抜き抵抗用のラグスクリューボルト２０を備えるようにする。【選択図】図１
2015218459.tif 000002
【特許請求の範囲】
【請求項１】
木質の柱部材に水平に挿通配置した引きボルトを介してこの柱部材の側面に固定される平面視でＴ字状断面の梁部材接続用の金物を有する木質の柱部材と梁部材の接合構造において、
金物を貫通して柱部材にねじ込み固定した引き抜き抵抗用のラグスクリューボルトを備えることを特徴とする柱梁接合構造。
【請求項２】
ラグスクリューボルトを柱部材に押し込む方向に押圧する押圧力を付与するための押圧力付与手段をさらに備えることを特徴とする請求項１に記載の柱梁接合構造。
【請求項３】
金物位置における柱部材の側面の座彫りを省略したことを特徴とする請求項１または２に記載の柱梁接合構造。
【発明の詳細な説明】
【技術分野】
【０００１】
本発明は、木質の柱部材と梁部材とを接合した柱梁接合構造に関するものである。
【背景技術】
【０００２】
従来、木質の柱部材と、鋼製または木製の梁部材とを接合した柱梁接合構造が知られている（例えば、特許文献１および２を参照）。図６〜図８は、従来の木質の柱部材と木質の梁部材とを接合した柱梁接合構造の一例を示したものである。これらの図に示すように、従来の柱梁接合構造は、木質の柱部材１を貫通する上下の通しボルト２（引きボルト）およびナット２ａにて柱部材１の側面に取り付けられたＴ字状断面の接続用金物３のガセットプレート４を木質の梁部材５の端面の凹溝部６に挿入し、ドリフトピンまたはボルト等の接合具７にてガセットプレート４と梁部材５とを接続するディテールが一般的であった。
【０００３】
ここで、木質構造の柱梁接合部の変形量としては、柱部材の引きボルト接合部の回転に起因する変形量が支配的であることが知られている。したがって、図６のような接合形式の場合には、例えば図９の概念図に示すように、Ｔ字状断面の接続用金物３のベースプレート８の上側部分が木質の柱部材１にめり込むと同時に、下側部分の通しボルト２が伸び変形を起こすことで接合部の剛性が低下し、この柱梁接合構造を備える建物全体の水平剛性に大きな影響を及ぼすことが懸念される。
【先行技術文献】
【特許文献】
【０００４】
【特許文献１】特開２０１４−２９０９２号公報
【特許文献２】特開２００９−１７４２７１号公報
【発明の概要】
【発明が解決しようとする課題】
【０００５】
このため、木質の柱部材と梁部材とを接合した柱梁接合構造において、接合部の剛性および耐力を向上することが望まれていた。
【０００６】
本発明は、上記に鑑みてなされたものであって、木質の柱部材と梁部材とを接合した柱梁接合構造において、接合部の剛性および耐力を向上することができる柱梁接合構造を提供することを目的とする。
【課題を解決するための手段】
【０００７】
上記した課題を解決し、目的を達成するために、本発明に係る柱梁接合構造は、木質の柱部材に水平に挿通配置した引きボルトを介してこの柱部材の側面に固定される平面視でＴ字状断面の梁部材接続用の金物を有する木質の柱部材と梁部材の接合構造において、金物を貫通して柱部材にねじ込み固定した引き抜き抵抗用のラグスクリューボルトを備えることを特徴とする。
【０００８】
また、本発明に係る他の柱梁接合構造は、上述した発明において、ラグスクリューボルトを柱部材に押し込む方向に押圧する押圧力を付与するための押圧力付与手段をさらに備えることを特徴とする。
【０００９】
また、本発明に係る他の柱梁接合構造は、上述した発明において、金物位置における柱部材の側面の座彫りを省略したことを特徴とする。
【発明の効果】
【００１０】
本発明に係る柱梁接合構造によれば、木質の柱部材に水平に挿通配置した引きボルトを介してこの柱部材の側面に固定される平面視でＴ字状断面の梁部材接続用の金物を有する木質の柱部材と梁部材の接合構造において、金物を貫通して柱部材にねじ込み固定した引き抜き抵抗用のラグスクリューボルトを備えるので、ラグスクリューボルトを引き抜く方向の抵抗が増大し、接合部の剛性および耐力を向上することができるという効果を奏する。
【００１１】
また、本発明に係る他の柱梁接合構造によれば、ラグスクリューボルトを柱部材に押し込む方向に押圧する押圧力を付与するための押圧力付与手段をさらに備えるので、ラグスクリューボルトを引き抜く方向の抵抗がさらに増大し、接合部の剛性および耐力をさらに向上することができるという効果を奏する。
【００１２】
また、本発明に係る他の柱梁接合構造によれば、金物位置における柱部材の側面の座彫りを省略したので、座彫りに要する加工手間が不要になるとともに、接合部の構造をシンプルにすることができるという効果を奏する。
【図面の簡単な説明】
【００１３】
【図１】図１は、本発明に係る柱梁接合構造の実施の形態を示す正面断面図である。
【図２】図２は、図１のＡ−Ａ線に沿った図である。
【図３】図３は、図１のＢ−Ｂ線に沿った図である。
【図４】図４は、ラグスクリューボルトの取り付け態様の一例を示す部分拡大図である。
【図５】図５は、ラグスクリューボルトの取り付け態様の他の一例を示す部分拡大図である。
【図６】図６は、従来の柱梁接合構造の一例を示す正面断面図である。
【図７】図７は、図６のＡ−Ａ線に沿った図である。
【図８】図８は、図６のＢ−Ｂ線に沿った図である。
【図９】図９は、従来の接合部の変形態様を示す概念図である。
【発明を実施するための形態】
【００１４】
以下に、本発明に係る柱梁接合構造の実施の形態を図面に基づいて詳細に説明する。なお、この実施の形態によりこの発明が限定されるものではない。
【００１５】
図１〜図３に示すように、本発明に係る柱梁接合構造１０は、木質の柱部材１２に水平に挿通配置した引きボルト１４および引きボルト１４の端部のナット１４ａを介してこの柱部材１２の側面に締結固定される平面視でＴ字状断面の梁部材接続用の金物１６を有する木質の柱部材１２と梁部材１８の接合構造であって、金物１６を貫通して柱部材１２にねじ込み固定した引き抜き抵抗用のラグスクリューボルト２０を備えるものである。
【００１６】
梁部材接続用の金物１６は、ガセットプレート２２とベースプレート２４とからなり、例えばＨ形鋼をウェブ中央で切断したＴ形鋼（カットティー）などを用いて構成することができる。ガセットプレート２２は、梁部材１８の端面に開けられた凹溝部２６に挿入配置され、ベースプレート２４は柱部材１２の側面に当接配置される。
【００１７】
ガセットプレート２２には、図１および図３に示すように、ドリフトピンまたはボルト等の接合具２８を挿通するための貫通孔が開けられており（本実施例では１枚当たり８か所）、梁部材１８はこの貫通孔に通された接合具２８を介してガセットプレート２２に固定される。一方、ベースプレート２４にも、図２に示すように、引きボルト１４およびラグスクリューボルト２０を挿通するための貫通孔が開けられている。本実施例では、ガセットプレート２２を挟んで左右両側にそれぞれ引きボルト１４用の貫通孔が４か所ずつ、ラグスクリューボルト２０用の貫通孔が８か所ずつ開けられている。
【００１８】
柱部材１２は、芯材３４と燃え止まり層３６と燃え代層３８とからなる。芯材３４は、荷重を支持する集成材（木材）からなり、例えば、スギやカラマツなどの一般的な集成材で構成することができる。燃え止まり層３６は、芯材３４の外側に設けられる耐火性を有する被覆層であり、不燃処理された木材などにより構成することができる。燃え代層３８は、燃え止まり層３６の外側に木質感を付与するためのものであり、木材や集成材等の木質材料で構成することができる。
【００１９】
なお、金物１６が取り付けられる柱部材１２の側面の凹部状の座彫りの下端部には、モルタルなどの断熱材３２が設けられる。また、梁部材１８の上面には床スラブコンクリート３０が設けられる。
【００２０】
ラグスクリューボルト２０は、図４に示すように、頭部２０ａと軸部２０ｂとを有する。ラグスクリューボルト２０は通常の木ねじよりも外径が大きく（例えば呼び径が８〜１２ｍｍ程度）、頭部２０ａは大きなトルクを掛けることができるように六角形状となっている。軸部２０ｂの先端側にはねじ山が切られた部分２０ｃが形成されており、その先端部は先窄まりに尖っている。また、軸部２０ｂには頭部２０ａと連続するねじ無し部が存在している。ラグスクリューボルト２０はベースプレート２４の貫通孔２４ａを通り、頭部２０ａをベースプレート２４の外面に当接した態様で、柱部材１２の内部にねじ込まれる。
【００２１】
ここで、ラグスクリューボルト２０を柱部材１２に締結する場合には、例えば柱部材１２に電動ドリル等であらかじめ下穴を空けておき、ベースプレート２４の貫通孔２４ａを介してこの下穴にラグスクリューボルト２０をねじ込むようにする。
【００２２】
この構成によれば、ラグスクリューボルト２０を柱部材１２から引き抜く方向の抵抗が増大するので、ラグスクリューボルト２０の頭部２０ａを介してベースプレート２４の柱部材１２に対する接合力は高められる。このため、接合部の剛性および耐力を向上することができ、この柱梁接合構造１０を備える建物の剛性を高めることができる。
【００２３】
上記の実施の形態において、ラグスクリューボルト２０の取り付け態様は、図４に示すものに限るものではなく、例えば図５に示すような取り付け態様を採用してもよい。図５は、ラグスクリューボルト２０を柱部材１２に押し込む方向に押圧する押圧力を付与するための押圧力付与手段４０をさらに備えたものである。
【００２４】
押圧力付与手段４０は、ベースプレート２４に溶接等によって固定され、内周面にねじ溝を有する円筒状部材４２と、これと同軸に配置され、外周面にねじ山を有する円柱状のキャップ４４とを有する。円筒状部材４２は、ラグスクリューボルト２０の頭部２０ａを囲むように配置される。キャップ４４は、円筒状部材４２の内周面のねじ溝に螺合してラグスクリューボルト２０の頭部２０ａの頂面に当接し、ここに押圧力を付与可能な態様で配置される。
【００２５】
ラグスクリューボルト２０の頭部２０ａをベースプレート２４側に押し付けるようにキャップ４４をねじ込めば、ラグスクリューボルト２０は、頭部２０ａを介して柱部材１２に押し込む方向に押圧される。このようにすることで、ラグスクリューボルト２０とベースプレート２４との接合力が高まり、ラグスクリューボルト２０を引き抜く方向の抵抗がさらに増大し、接合部の剛性および耐力をさらに向上することができる。
【００２６】
また、芯材３４がベースプレート２４を押し込む力が作用した場合に、ラグスクリューボルト２０の頭部２０ａをキャップ４４で押えているので、芯材３４の表面界面のめり込みだけではなく、芯材３４内部のラグスクリューボルト２０のねじ山が切られた部分２０ｃの支圧も有効に作用する。
【００２７】
また、上記の実施の形態において、ラグスクリューボルト２０に引き抜き抵抗だけでなく、長期のせん断抵抗作用を期待すれば、金物１６の位置における柱部材１２の側面の座彫りを省略することも可能である。このようにすれば、座彫りに要する加工手間が不要になるとともに、接合部の構造をシンプルにすることができる。
【００２８】
以上説明したように、本発明に係る柱梁接合構造によれば、木質の柱部材に水平に挿通配置した引きボルトを介してこの柱部材の側面に固定される平面視でＴ字状断面の梁部材接続用の金物を有する木質の柱部材と梁部材の接合構造において、金物を貫通して柱部材にねじ込み固定した引き抜き抵抗用のラグスクリューボルトを備えるので、ラグスクリューボルトを引き抜く方向の抵抗が増大し、接合部の剛性および耐力を向上することができる。
【００２９】
また、本発明に係る他の柱梁接合構造によれば、ラグスクリューボルトを柱部材に押し込む方向に押圧する押圧力を付与するための押圧力付与手段をさらに備えるので、ラグスクリューボルトを引き抜く方向の抵抗がさらに増大し、接合部の剛性および耐力をさらに向上することができる。
【００３０】
また、本発明に係る他の柱梁接合構造によれば、金物位置における柱部材の側面の座彫りを省略したので、座彫りに要する加工手間が不要になるとともに、接合部の構造をシンプルにすることができる。
【産業上の利用可能性】
【００３１】
以上のように、本発明に係る柱梁接合構造は、木質の柱部材と梁部材とを接合した柱梁接合構造に有用であり、特に、接合部の剛性および耐力を向上するのに適している。
【符号の説明】
【００３２】
１０  柱梁接合構造
１２  柱部材
１４  引きボルト
１４ａ  ナット
１６  金物
１８  梁部材
２０  ラグスクリューボルト
２０ａ  頭部
２０ｂ  軸部
２０ｃ  先端側の部分
２２  ガセットプレート
２４  ベースプレート
２４ａ  貫通孔
２６  凹溝部
２８  接合具
３０  床スラブコンクリート
３２  断熱材
３４  芯材
３６  燃え止まり層
３８  燃え代層
４０  押圧力付与手段
４２  円筒状部材
４４  キャップ
【図１】
2015218459.tif 000003
【図２】
2015218459.tif 000004
【図３】
2015218459.tif 000005
【図４】
2015218459.tif 000006
【図５】
2015218459.tif 000007
【図６】
2015218459.tif 000008
【図７】
2015218459.tif 000009
【図８】
2015218459.tif 000010
【図９】
2015218459.tif 000011